(57)【要約】【課題】操作ボタンの識別性を向上する。【解決手段】光源装置１６には、電源ボタンの隣にランプ点灯ボタン２９が設けられている。ランプ点灯ボタン２９は、凹部３４の底に配されており、背後に設けたＬＥＤ４１の発光により透過照明される自照式のボタンである。凹部３４の表面には、ランプ点灯ボタン２９を露呈する穴３７を除く範囲に反射層３９がメッキ処理等により施されている。ランプ点灯ボタン２９から放たれる光の一部は、反射層３９で反射するとともに凹部３４の湾曲面により前方に向けて屈曲され、ランプ点灯ボタン２９の発光に加えてその周りの周辺部３４ａが光る。これにより、他の自照式ボタンよりも照明範囲が広くなり識別性が高まる。【選択図】図４
2010003476.tif 000002
【特許請求の範囲】
【請求項１】
外カバーに設けられた断面お椀状の凹部と、
前記凹部の内部に露呈して設けられた透明な操作ボタンと、
前記操作ボタンの背後に設けられ、前記操作ボタンを透過照明する照光部と、
前記凹部の表面に設けられ、前記操作ボタンを透過する光のうちの一部を反射する反射部と、
を備えたことを特徴とする自照式ボタン装置。
【請求項２】
前記反射部は、透明なフィルムシートと、その上に反射率の高い色を印刷した反射層とから構成されていることを特徴とする請求項１記載の自照式ボタン装置。
【請求項３】
前記フィルムシートは、前記操作ボタンを覆う範囲が透明になっていることを特徴とする請求項２記載の自照式ボタン装置。
【発明の詳細な説明】
【技術分野】
【０００１】
本発明は、各種の電気機器に用いられ、透明な操作ボタンの背後に設けた照光部から放たれる光により前記操作ボタンを透過照明する自照式ボタン装置に関する。
【背景技術】
【０００２】
従来、ケースの表面から露呈する透明なボタンの背後に導光部を設け、導光部の背後に設けたＬＥＤ等の照光部から放たれる光を前記ボタンに導いて、ボタン全体を発光させる自照式ボタン装置が知られている（特許文献１）。また、操作ノブの前面を、透明な絵文字や数字等の意匠表示部やインジケータ部の輪郭形状を除いて黒色に塗布処理を施し、操作ノブの背後に設けた照光部から放たれる光を利用して意匠表示部やインジケータ部を透過照明するプッシュ式スイッチ装置も知られている（特許文献２）。
【０００３】
【特許文献１】特開平９−１７１５９５号
【特許文献２】特開２００７−１４９６１０号
【発明の開示】
【発明が解決しようとする課題】
【０００４】
しかしながら、ボタン自体、意匠表示部、及びインジケータ部等を透過照明しても暗闇の環境下では、ボタンの位置は認識できてもボタンの種類までは、照明範囲が狭いため迅速に識別することができないおそれがある。操作ボタンには重要なボタンがあり、医療用機器、例えば内視鏡用の光源装置等では、他のボタンと間違えて操作を行うと、重大な問題を生じさせるおそれがある。
【０００５】
本発明は、ボタンの位置に加えてボタンの種類を確実に識別することができる自照式ボタン装置を提供することを目的とする。
【課題を解決するための手段】
【０００６】
上記の目的を達成するため、本発明の自照式ボタン装置では、外カバーに設けられた断面お椀状の凹部と；前記凹部の内部に露呈して設けられた透明な操作ボタンと；前記操作ボタンの背後に設けられ、前記操作ボタンを透過照明する照光部と；前記凹部の表面に設けられ、前記操作ボタンを透過する光のうちの一部を反射する反射部と；を備えたものである。
【０００７】
反射部としては、操作ボタンを除く凹部の範囲に、鏡面を蒸着やスパッタリングで施した反射層、あるいは、反射率の高い色、例えば銀色や金色等の色をメッキ処理や印刷により施した反射層を設けるのが好適である。また、反射率の高い色を透明なフィルムシートの上に印刷して反射層を作り、そのシートを凹部に貼り付けてもよい。また、鏡面フィルムを貼り付けてもよい。さらに、フィルムシートとしては、操作ボタンを含む凹部の大きさで作るのが貼り付けやすいので好適である。この場合には、操作ボタンを覆う範囲を印刷せずに、透明のまま残しておけばよい。また、凹部としては、操作を行う方向、例えば前方に向けて反射する曲面形状、例えばお椀状にするのが望ましい。
【発明の効果】
【０００８】
本発明の自照式ボタン装置によれば、操作ボタンを内部に配した凹部の表面に反射部を設けたから、自己照明ボタンに加えてその周辺部も照明される。これにより、照明範囲が広がるため、他の自照式ボタンと容易にかつ迅速に識別することができる。
【発明を実施するための最良の形態】
【０００９】
本発明の一実施形態を示す自照式ボタン装置は、内視鏡用の光源装置に用いられている。光源装置は、通常、カートに載置して使用される。カート１０は、図１に示すように、３枚の棚１１〜１３を一対の支柱１４で垂直方向に所定間隔離して支持し、最下段の棚１３の底面の四角にキャスター１５を取り付けた構成になっている。このカート１０には、光源装置１６以外に、観察用ＴＶのモニタ１７、内視鏡１８、及びプロセッサ装置１９等がセットされる。
【００１０】
内視鏡１８は、カート１０に取り付けられているハンガー２０に吊持される。光源装置１６には、コネクタ２３が接続される。このコネクタ２３は、内視鏡１８の操作部２１から延出するケーブル２２に取り付けられている。内視鏡１８の挿入部２４の先端部２４ａには、被写体を照明するために、ライトガイド、及び照明光学系が内蔵されている。また、被写体像を観察するために、先端部２４ａには、対物光学系、撮像センサ、及びデジタル変換器も内蔵されている。光源装置１６は、ランプ、光源制限フィルタ、及び、絞り等を内蔵しており、ランプから放たれる光を前記ライトガイドに入射させる。ランプは、白色光を出射する、例えばキセノンランプ等である。
【００１１】
コネクタ２３にはサブコネクタ２５が設けられ、サブコネクタ２５はプロセッサ装置１９に接続される。先端部２４ａに内蔵した対物光学系は、被写体を反射する光を撮像センサに結像する。撮像センサは取り込んだ光を電気信号に変換し、デジタル変換器は電気信号をデジタル変換して伝送する。このデジタルの電気信号がサブコネクタ２５を介してプロセッサ装置１９に入力される。プロセッサ装置１９は、デジタルの電気信号をビデオ信号に変換してモニタ１７に画像を表示する。
【００１２】
光源装置１６の前面には、図２に示すように、右寄りに電源ボタン２７が設けられている。電源ボタン２７は、プッシュ式の押しボタンスイッチになっており、誤操作を防止するために、凹部２８の底に設けられている。電源ボタン２７のオン／オフ操作をすることにより商用電源から光源装置１６への電力の供給及び停止が行われる。電源ボタン２７の左横には、ランプ点灯ボタン２９、明るさ調整ボタン３０、光量制限ボタン３１、透過照明ボタン３２、及び送気ボタン３３等が順に並んで設けられている。
【００１３】
ランプ点灯ボタン２９は、電源ボタン２７と同様に一段凹んだ凹部３４の底に配されている。このランプ点灯ボタン２９もプッシュ式の押しボタンスイッチとなっており、オン／オフ操作をすることにより、前記ランプの点灯、及び消灯を行う。明るさ調整ボタン３０は、アップボタン３０ａ、及びダウンボタン３０ｂとで構成されており、絞りの開口口径を制御して照明光の明るさを、例えば１０段階で調整する。なお、絞りの代わりに、減衰フィルタの挿入、あるいは光源ランプの点灯電流の調節等によって明るさ調整をすることもできる。光量制限ボタン３１は、プッシュ式の押しボタンであり、オン／オフ操作をすることで、照明光の光路上に光量制限フィルタを挿脱して白色光の所定波長域の光量を制限するか否かを選択する。
【００１４】
ところで、各ボタン２７，２９〜３３は、位置、及び種別を容易に識別させるために、各ボタン２７，２９〜３３の背後に設けたＬＥＤ等の照光部による点灯により、ランプ点灯ボタン２９はボタンそのものが、また、他のボタン２９〜３３は前面に設けた光透過性の識別表示がそれぞれ透過照明される。識別表示としては、例えば、図３に示すように、アップ・ダウン用の矢印記号や、絵文字、あるいは文字等である。透過照明ボタン３２は、すべての照光部の点灯を行うか否かを選択するボタンである。なお、光源装置１６には、内視鏡１８の内部に設けた送気管路に空気を送るためのポンプ、及びバルブが内蔵されている。送気ボタン３３は、送気圧が、例えば弱、中、強の３段階のうちのいずれかになるように前記バルブを調節するためのボタンである。
【００１５】
内視鏡１８を用いて検診あるいは観察する前には、患者のデータや、診断や観察部位に応じて、ランプの明るさや照明光の波長の指定を行う。例えば、光源装置１６では、電源ボタン２７をオンし、次に、患者のデータを登録する。その後、ランプ点灯ボタン２９をオンし、被写体の明るさが適切になるように、明るさ調整ボタン３０で調整し、光量制限ボタン３１のオン／オフを決定する。最後に、送気ボタン３３で送気圧を選択する。
【００１６】
ランプ点灯ボタン２９は、内視鏡で診察あるいは観察している時に、誤って触れてオフにしてしまうと体内の観察像が得られなくなる等の重大な不都合が生じるため、重要なボタンである。この点は、電源ボタン２７も同様である。そこで、これらボタン２７，２９は、誤って触れないように、凹部２８，３４の底に設けられている。しかも、これらボタン２７，２９は、隣同士に配されている。そこで、暗闇の環境下でも容易に識別が付くように、ランプ点灯ボタン２９は、ボタン自身が発光するのに加えてその周りの周辺部３４ａが光る。
【００１７】
周辺部３４ａとしては、ボタン２９を取り巻く範囲であれば、矩形でも円形、あるいは三角形の範囲としてもよい。本実施形態では、同図に示すように、ボタン２９を除く凹部３４の表面（二重円のうちの外側円の範囲）に合わせた円形状の範囲を周辺部３４ａとしている。そして、凹部３４は、電源ボタン２７の凹部２８よりも正面から見た範囲が大きくなっている。なお、同図では、薄墨の色が濃い範囲がボタン２９の自己照明範囲であり、また、薄い色の薄い範囲が周辺部（反射部）３４ａの範囲である。
【００１８】
凹部３４は、図４に示すように、光源装置１６の前カバー３６に作られている。凹部３４の底には、ランプ点灯ボタン２９を露呈させる穴３７が形成されている。穴３７を除く凹部３４の表面には、反射層３９が設けられている。反射層３９としては、光の波長に近い反射層を持った「顔料」を塗布しても良いし、アルミニウム、銀等の高い反射率を有する金属薄膜層をメッキ処理などにより施してもよい。ランプ点灯ボタン２９は、拡散性を有する透明材料、例えばアクリルやＡＢＳ等の樹脂やシリコーン等の材料で作られており、絶縁性の材料で作られたボタンベース４０により穴３７から出入り自在に支持されている。ボタンベース４０の背後には、ＬＥＤ４１や一対の接点４２，４３を実装したプリント基板４４が所定間隔離して配されている。
【００１９】
ボタンベース４０には、ランプ点灯ボタン２９を支持する底の中央に円形の開口部４５が設けられ、開口部４５の背後には縁を取り巻くようにリング状に作られた導通性ゴム４６が取り付けられている。ボタンベース４０は、導電性ゴム４６が一対の接点４２，４３に接触してこれらを導通させるオン位置と、一対の接点４２，４３から導通性ゴム４６を離すオフ位置との間で、ランプ点灯ボタン２９を移動自在に保持している。ランプ点灯ボタン２９の表面は、球面２９ａとなっており、オン位置のときには、球面２９ａが穴３７から突出し、オフ位置のときには穴３７の内部に向けて僅かに退避する。そして、ボタンベース４０とプリント基板４４との間には、バネ等の付勢部材４７が介在されている。この付勢部材４７は、ランプ点灯ボタン２９をオフ位置に向けて付勢している。一対の接点４２，４３を導通するごとに、ランプの点灯を制御する信号として出力され、ランプの点灯／消灯が繰り返し行われる。
【００２０】
透過照明ボタン３２で点灯が選択されているときには、ＬＥＤ４１が点灯する。ＬＥＤ４１から放たれる光は、導通性ゴム４６の開口４６ａ、及びボタンベース４０の開口部４５を通ってランプ点灯ボタン２９の内部を透過する。ランプ点灯ボタン２９は、拡散性を有し、かつ透明な材料で形成されているので、内部で光りが拡散されて、ボタン全体が発光する。
【００２１】
また、ボタン２９から外部に透過する光のうちの一部は、凹部３４の表面に設けた反射層３９で反射する。この反射は、凹部３４が湾曲形状をしているため、前方に向けて反射する。よって、正面から見ると、図３で説明したように、ランプ点灯ボタン２９の周辺部３４ａまでも光ってランプ点灯ボタン２９よりも照明範囲が広がって見える。これにより、暗闇でも確実に位置が分かり、しかも、電源ボタン２７との識別も確実に行える。
【００２２】
図５及び図６に示す別の実施形態では、光源装置１６の前カバー３６の表面の一部に、パネルシート５０を貼着し、パネルシート５０の内部にボタン２９〜３３を配している。前カバー３６に形成した凹部３４には、ランプ点灯ボタン２９を露呈させるための穴５１と、その穴５１を中心とする同心円上の等分割位置に設けた３つの小穴５２〜５４とが形成されている。パネルシート５０は、透明なフィルムシートの透明部５５〜５８及び反射層５９を除く範囲の上に、光を透過しない色を印刷している。パネルシート５０の透明部（同図で黒塗りを施した範囲）５５〜５８は、透過照明するための識別表示やインジケータ部、及び、穴５１、及び小穴５２〜５４の上を覆う部分に施されており、印刷を施さないで透明部を作っている。また、反射層（同図で薄墨を施した範囲）５９は、凹部３４のうちの透明部５５〜５８を除く周辺部を覆う部分に施されている。この反射層５９はパネルシート５０の上に、金色インキ、銀色インキ等の反射率の高い色を印刷することで作っている。
【００２３】
ランプ点灯ボタン２９は、拡散性を有する透明な材料、例えばシリコーン等の材料で作られている。このランプ点灯ボタン２９には、３つの小穴５２〜５４を背後から覆う円盤状の支持部６１が一体的に形成されている。この支持部６１は、ボタンベース６２に取り付けられている。ボタンベース６２は、中央が開口６２ａされ、支持部６１の外周のみを保持する形状になっている。ボタンベース６２の背後には、所定間隔離した位置に、スイッチ（以下「ＳＷ」と称す）６３や３つのＬＥＤ６４を実装したプリント基板６５が配されている。ボタンベース６２は、支持部６１の背面でＳＷ６３をオンするオン位置と支持部６１をＳＷ６３から離してＳＷ６３をオフするオフ位置との間で、ランプ点灯ボタン２９を移動自在に支持しており、バネ等の付勢部材６６によりオン位置に向けて付勢されている。３つのＬＥＤ６４は、小穴５２〜５４の後方に配されている。
【００２４】
３つのＬＥＤ６４から放たれる光は、支持部６１、及びランプ点灯ボタン２９に入射して拡散される。パネルシート５０を正面から見ると、図７に示すように、ランプ点灯ボタン２９の範囲、及び、３つの小穴５２〜５４が、パネルシート５０が透明部５５〜５８になっているので明るい発光部として視認される。そして、周辺部には反射層５９が施されているので、反射層５９が前記透明部５５〜５８から放たれる光の一部を、凹部３４の湾曲により前方に向けて反射する。このため、ボタン２９の周辺部も光って視認される。特にこの実施形態では、ボタン２９自身が照明し、かつその周りの凹部３４も光るのに加えて、その凹部３４の中の３つの小穴５２〜５４が発光する形態となる。これにより、照明範囲の拡大に加えてこの中に３つの発光部が小円でアクセントとして視認されため、ボタンの識別性がさらに向上する。
【００２５】
なお、上記各実施形態では、ボタン２９の背後に配する照光部としてＬＥＤ４１，６４を用いているが、代わりに、有機ＥＬや電球を用いてもよい。また、透過照明ボタン３２を省略し、ランプ点灯ボタン２９をオンすることに応答して背後のＬＥＤ４１，６４が発光し、オフすることでＬＥＤ６４が消灯するように構成してもよい。さらに、本発明は、ランプ点灯ボタン２９に用いることに限定されるものではなく、周知のボタンであればいずれにも採用することができる。また、本発明は光源装置１６に用いることに限定されるものではなく、例えば、内視鏡用のプロセッサ装置１９、パーソナルコンピュータ、プリンタ、電話機、及び制御機器等を含む電気機器のいずれにも用いることができる。
【図面の簡単な説明】
【００２６】
【図１】内視鏡システムを搭載したカートを示す斜視図である。
【図２】本発明を採用した光源装置を示す斜視図である。
【図３】光源装置の操作部の要部を示す説明図である。
【図４】ランプ点灯ボタンを示す断面図である。
【図５】パネルシートを用いた操作部の別の実施形態を示す説明図である。
【図６】図５で説明した操作部のうちのランプ点灯ボタンを示す断面図である。
【図７】図６で説明したランプ点灯ボタンを点灯した状態を示す説明図である。
【符号の説明】
【００２７】
１０  カート
１６  光源装置
２７  電源ボタン
２９  ランプ点灯ボタン
３４  凹部
４１，６４  ＬＥＤ
【図１】
2010003476.tif 000003
【図２】
2010003476.tif 000004
【図３】
2010003476.tif 000005
【図４】
2010003476.tif 000006
【図５】
2010003476.tif 000007
【図６】
2010003476.tif 000008
【図７】
2010003476.tif 000009